(57)【要約】【課題】視聴用ストリームをイベント通知用ストリームに円滑に置き換えて再生端末装置へ配信し、再生端末装置での誤作動を防止することができる配信装置、ストリーム配信方法、コンピュータプログラム、およびストリーム配信システムを提供する。【解決手段】配信装置１０が備える制御部１１は、ストリーム収録手段１２、ストリーム配信制御手段１３、配信フォーマット判別手段１４、イベントストリーム取得手段１６などを構成する。配信装置１０は、ストリーム収録手段１２、ストリーム配信制御手段１３、配信フォーマット判別手段１４、イベント（イベント情報）を検出したときイベント通知用ストリームを取得するイベントストリーム取得手段１６とを備える。ストリーム配信制御手段１３は、配信中の視聴用ストリームのメタ情報および取得したイベント通知用ストリームのメタ情報に基づいてイベント通知用ストリームの配信を制御する。【選択図】図１
2012019470.tif 000002
【特許請求の範囲】
【請求項１】
配信サーバから配信された視聴用ストリームを再生する再生端末装置へ前記視聴用ストリームを配信する配信装置であって、
前記再生端末装置へ配信する前記視聴用ストリームを収録するストリーム収録手段と、
前記再生端末装置に対する前記視聴用ストリームの配信を制御するストリーム配信制御手段と、
前記再生端末装置へ配信中の前記視聴用ストリームの配信フォーマットを判別する配信フォーマット判別手段と、
前記配信フォーマット判別手段によって判別された前記配信フォーマットに適合するイベント通知用ストリームを取得するイベントストリーム取得手段とを備え、
前記ストリーム配信制御手段は、配信中の前記視聴用ストリームのメタ情報および前記イベントストリーム取得手段が取得した前記イベント通知用ストリームのメタ情報に基づいて前記イベント通知用ストリームの配信を制御する構成とされていること
を特徴とする配信装置。
【請求項２】
請求項１に記載の配信装置であって、
前記ストリーム配信制御手段は、前記視聴用ストリームの配信を途中で停止したときの前記視聴用ストリームのメタ情報を取得すること
を特徴とする配信装置。
【請求項３】
請求項１または請求項２に記載の配信装置であって、
前記視聴用ストリームのメタ情報および前記イベント通知用ストリームのメタ情報は、ストリームの長さであること
を特徴とする配信装置。
【請求項４】
請求項１から請求項３までのいずれか一つに記載の配信装置であって、
前記ストリーム配信制御手段は、前記ストリーム収録手段に収録された前記イベント通知用ストリームを読み出すこと
を特徴とする配信装置。
【請求項５】
請求項１から請求項４までのいずれか一つに記載の配信装置であって、
前記イベント通知用ストリームは、前記再生端末装置とは別に配置され構内通信網を介して相互に通信されるイベントストリーム生成外部装置で生成されたものであること
を特徴とする配信装置。
【請求項６】
請求項１から請求項５までのいずれか一つに記載の配信装置であって、
前記イベント通知用ストリームは、内部に配置されたイベントストリーム生成内蔵手段で生成されたものであること
を特徴とする配信装置。
【請求項７】
請求項５または請求項６に記載の配信装置１０であって、
前記イベントストリーム生成外部装置、または前記イベントストリーム生成内部手段が生成する前記イベント通知用ストリームは、内部動作に関するイベント情報をストリーム化したものであること
を特徴とする配信装置。
【請求項８】
請求項３から請求項７までのいずれか一つに記載の配信装置であって、
前記ストリーム配信制御手段は、前記イベント通知用ストリームの長さであるイベントストリーム長と、前記視聴用ストリームの内で未だ配信がされていない未配信の視聴用ストリームの長さである未配信ストリーム長とを比較し、前記イベントストリーム長さが前記未配信ストリーム長より短い場合は、前記イベント通知用ストリームを配信すること
を特徴とする配信装置。
【請求項９】
請求項３から請求項７までのいずれか一つに記載の配信装置であって、
前記ストリーム配信制御手段は、前記イベント通知用ストリームの長さであるイベントストリーム長と、前記視聴用ストリームの内で未だ配信がされていない未配信の視聴用ストリームの長さである未配信ストリーム長とを比較し、前記イベントストリーム長さが前記未配信ストリーム長より長い場合は、前記未配信ストリーム長に対応する期間、前記イベント通知用ストリームを配信すること
を特徴とする配信装置。
【請求項１０】
請求項１から請求項９までのいずれか一つに記載の配信装置であって、
前記イベント通知用ストリームは、ネットワークを介して配信装置に提供されたイベントとしての非常情報に対応して形成されたものであること
を特徴とする配信装置。
【請求項１１】
請求項１から請求項１０までのいずれか一つに記載の配信装置であって、
前記視聴用ストリームは、音声ストリームまたは映像ストリームであること
を特徴とする配信装置。
【請求項１２】
請求項１から請求項１１までのいずれか一つに記載の配信装置であって、
前記再生端末装置から前記視聴用ストリームについての配信の要求があったときに限り、前記イベント通知用ストリームの配信を実行すること
を特徴とする配信装置。
【請求項１３】
視聴用ストリームを再生する再生端末装置へ前記視聴用ストリームを配信する配信装置でのストリーム配信方法であって、
前記再生端末装置へ配信する前記視聴用ストリームをストリーム収録手段に収録させるステップと、
前記再生端末装置に対する前記視聴用ストリームの配信をストリーム配信制御手段に制御させるステップと、
前記再生端末装置へ配信中の前記視聴用ストリームの配信フォーマットを配信フォーマット判別手段に判別させるステップと、
前記配信フォーマット判別手段によって判別された前記配信フォーマットに適合するイベント通知用ストリームをイベントストリーム取得手段に取得させるステップとを備え、
配信中の前記視聴用ストリームのメタ情報および前記イベントストリーム取得手段が取得した前記イベント通知用ストリームのメタ情報に基づいて前記イベント通知用ストリームの配信を前記ストリーム配信制御手段に制御させるステップを備えること
を特徴とする配信装置でのストリーム配信方法。
【請求項１４】
視聴用ストリームを再生する再生端末装置へ前記視聴用ストリームを配信する配信装置での配信をコンピュータに実行させるコンピュータプログラムであって、
コンピュータに、前記再生端末装置へ配信する前記視聴用ストリームをストリーム収録手段として収録させるステップと、
コンピュータに、前記再生端末装置に対する前記視聴用ストリームの配信をストリーム配信制御手段として制御させるステップと、
コンピュータに、前記再生端末装置へ配信中の前記視聴用ストリームの配信フォーマットを配信フォーマット判別手段として判別させるステップと、
コンピュータに、前記配信フォーマット判別手段によって判別された前記配信フォーマットに適合するイベント通知用ストリームをイベントストリーム取得手段として取得させるステップとを備え、
コンピュータに、配信中の前記視聴用ストリームのメタ情報および前記イベントストリーム取得手段が取得した前記イベント通知用ストリームのメタ情報に基づいて前記イベント通知用ストリームの配信を前記ストリーム配信制御手段として制御させるステップを備えること
を特徴とする配信をコンピュータに実行させるコンピュータプログラム。
【請求項１５】
配信サーバから配信された視聴用ストリームを再生する再生端末装置と、前記再生端末装置へ前記視聴用ストリームを配信する配信装置とを備えるストリーム配信システムであって、
前記配信装置は、請求項１から請求項１２までのいずれか一つに記載の配信装置であること
を特徴とするストリーム配信システム。
【請求項１６】
請求項１５に記載のストリーム配信システムであって、
前記配信装置および前記再生端末装置に対して構内通信網を介して通信され、前記イベント通知用ストリームを生成するイベントストリーム生成外部装置を備えること
を特徴とするストリーム配信システム。
【発明の詳細な説明】
【技術分野】
【０００１】
本発明は、再生端末装置へ視聴用ストリームを配信する配信装置、このような配信装置でのストリーム配信方法、このような配信装置での配信をコンピュータに実行させるコンピュータプログラム、および、このような配信装置を備えるストリーム配信システムに関する。
【背景技術】
【０００２】
近年のＩＰ（Ｉｎｔｅｒｎｅｔ  Ｐｒｏｔｃｏｌ）の進展、ネットワークの進展により、インターネット上にあるコンテンツを配信する配信サーバから、ネットワークに対応したネットワーク対応ＴＶ（テレビジョン受像機）など家庭内の映像コンテンツ再生機器に対し映像コンテンツ、音声コンテンツを配信するコンテンツ配信サービスが広がりつつある。
【０００３】
また、家庭内においても、ホームサーバやＨＤＤレコーダに保存したメディアコンテンツなどを、家庭内ＩＰネットワークを介してコンテンツ再生機器（再生端末装置）で視聴するホームネットワーク技術が普及している。
【０００４】
ところで、地上波テレビ放送や衛星テレビ放送では、地震や津波などの災害発生時に、緊急災害情報を放送ストリームに重畳することによって受信側の再生端末装置で表示させる仕組みが存在する。したがって、緊急情報をネットワーク内に配信する技術が知られている。
【０００５】
従来例１として、例えば特許文献１に記載された技術が知られている。つまり、配信装置から再生端末装置に対してコンテンツのストリーム配信中に、配信装置１０で検出されたイベントを再生端末装置側に通知する、デジタルテレビ放送の録画コンテンツの配信中に緊急放送が流れてきた場合、配信中コンテンツに多重化する、などを内容とする技術である。
【０００６】
しかしながら、従来例１の技術では、収録済みコンテンツへの緊急情報の多重化においてコンテンツのメタ情報（サイズ、時間長）を考慮していないことから、多重化によって発生するメタ情報の齟齬により再生端末装置で誤作動を引き起こす可能性がある。
【０００７】
従来例２として、例えば特許文献２に記載された技術が知られている。つまり、サーバと再生端末装置の間のパケット中継装置において、サーバが送信する告知放送データを再生端末装置が受信可能な配信フォーマットに変換して転送することを内容とする技術である。
【０００８】
しかしながら、コンテンツの長さ、時間長等のメタ情報がコンテンツと併せて公開される場合、イベント通知用ストリームの多重化もしくは変換によって、メタ情報での齟齬が発生し、再生端末装置で誤作動を引き起こす可能性がある。
【先行技術文献】
【特許文献】
【０００９】
【特許文献１】特開２００４−２８９２７９号公報
【特許文献２】特開２００５−２２９２９６号公報
【発明の概要】
【発明が解決しようとする課題】
【００１０】
上述した従来技術によれば、配信装置から再生端末装置に対してコンテンツ（視聴用ストリーム）のストリーム配信中に、配信装置で検出されたイベント（イベント通知用ストリーム）を再生端末装置側へ通知する。このとき、コンテンツの長さ、時間長等のメタ情報がコンテンツと併せて公開される場合、イベント通知用ストリームを多重化もしくは変換することによって、メタ情報での齟齬が発生し、再生端末装置でイベント通知用ストリームの再生が実行されないなどの誤作動を引き起こす恐れがあった。
【００１１】
本発明はこのような状況に鑑みてなされたものであり、配信中の視聴用ストリームの配信フォーマットに適合するイベント通知用ストリームを取得し、メタ情報に基づいてイベント通知用ストリームの配信を制御することによって、視聴用ストリームをイベント通知用ストリームに円滑に置き換えて再生端末装置へ配信することが可能で、新しい機能を追加せずに、再生端末装置での誤作動を防止することができる配信装置を提供することを目的とする。
【００１２】
また、本発明は、本発明に係る配信装置を適用して同様の作用効果が得られるストリーム配信方法を提供することを他の目的とする。
【００１３】
また、本発明は、本発明に係る配信装置に適用して同様の作用効果が得られるコンピュータプログラムを提供することを他の目的とする。
【００１４】
また、本発明は、本発明に係る配信装置を適用して同様の作用効果が得られるストリーム配信システムを提供することを他の目的とする。
【課題を解決するための手段】
【００１５】
本発明に係る配信装置は、配信サーバから配信された視聴用ストリームを再生する再生端末装置へ前記視聴用ストリームを配信する配信装置であって、前記再生端末装置へ配信する前記視聴用ストリームを収録するストリーム収録手段と、前記再生端末装置に対する前記視聴用ストリームの配信を制御するストリーム配信制御手段と、前記再生端末装置へ配信中の前記視聴用ストリームの配信フォーマットを判別する配信フォーマット判別手段と、前記配信フォーマット判別手段によって判別された前記配信フォーマットに適合するイベント通知用ストリームを取得するイベントストリーム取得手段とを備え、前記ストリーム配信制御手段は、配信中の前記視聴用ストリームのメタ情報および前記イベントストリーム取得手段が取得した前記イベント通知用ストリームのメタ情報に基づいて前記イベント通知用ストリームの配信を制御する構成とされていることを特徴とする。
【００１６】
したがって、本発明に係る配信装置は、配信中の視聴用ストリームの配信フォーマットに適合したイベント通知用ストリームを取得し、メタ情報に基づいてイベント通知用ストリームの配信を制御することから、視聴用ストリームをイベント通知用ストリームに円滑に置き換えて再生端末装置へ配信することが可能となり、新しい機能を追加せずに、再生端末装置での誤作動を防止することができる。
【００１７】
また、本発明に係る配信装置では、前記ストリーム配信制御手段は、前記視聴用ストリームの配信を途中で停止したときの前記視聴用ストリームのメタ情報を取得することを特徴とする。
【００１８】
したがって、本発明に係る配信装置は、正確に視聴用ストリームのメタ情報を取得することができるので、高精度に視聴用ストリームをイベント通知用ストリームに置き換えることができる。
【００１９】
また、本発明に係る配信装置では、前記視聴用ストリームのメタ情報および前記イベント通知用ストリームのメタ情報は、ストリームの長さであることを特徴とする。
【００２０】
したがって、本発明に係る配信装置は、視聴用ストリームの長さとイベント通知用ストリームの長さ（イベントストリーム長）を比較してストリームの配信を適切に制御することができる。
【００２１】
また、本発明に係る配信装置では、前記ストリーム配信制御手段は、前記ストリーム収録手段に収録された前記イベント通知用ストリームを読み出すことを特徴とする。
【００２２】
したがって、本発明に係る配信装置は、ストリーム配信制御手段がストリーム収録手段から読み出したイベント通知用ストリームを再生端末装置へ円滑に配信することができる。
【００２３】
また、本発明に係る配信装置では、前記イベント通知用ストリームは、前記再生端末装置とは別に配置され構内通信網を介して相互に通信されるイベントストリーム生成外部装置で生成されたものであることを特徴とする。
【００２４】
したがって、本発明に係る配信装置は、構内通信網を介して通信されるイベントストリーム生成外部装置で生成されたイベント通知用ストリームを再生端末装置へ配信することから、例えば、家庭内で指定された家庭固有のイベント（イベント情報）をイベントストリーム生成外部装置４０でイベント通知用ストリームＳＴｅに変換して円滑に再生することができる。
【００２５】
また、本発明に係る配信装置では、前記イベント通知用ストリームは、内部に配置されたイベントストリーム生成内蔵手段で生成されたものであることを特徴とする。
【００２６】
したがって、本発明に係る配信装置は、イベントストリーム生成内蔵手段で生成されたイベント通知用ストリームを再生端末装置へ配信することから、例えば、内部で生成された配信装置の動作に関するイベント通知用ストリームを円滑に機能させることができる。
【００２７】
また、本発明に係る配信装置では、前記イベントストリーム生成外部装置、または前記イベントストリーム生成内部手段が生成する前記イベント通知用ストリームは、内部動作に関するイベント情報をストリーム化したものであることを特徴とする。
【００２８】
したがって、本発明に係る配信装置は、配信装置の内部動作に関するイベント（イベント情報）に対応して形成されたイベント通知用ストリームを再生端末装置へ配信することから、例えば、再生端末装置を効果的に機能させることができる。
【００２９】
また、本発明に係る配信装置では、前記ストリーム配信制御手段は、前記イベント通知用ストリームの長さであるイベントストリーム長と、前記視聴用ストリームの内で未だ配信がされていない未配信の視聴用ストリームの長さである未配信ストリーム長とを比較し、前記イベントストリーム長さが前記未配信ストリーム長より短い場合は、前記イベント通知用ストリームを配信することを特徴とする。
【００３０】
したがって、本発明に係る配信装置は、イベント通知用ストリームの長さ（イベントストリーム長）が未配信の視聴用ストリームの長さ（未配信ストリーム長）より短い場合、未配信ストリーム長に対応する期間、イベント通知用ストリームを配信することが可能となる。
【００３１】
また、本発明に係る配信装置では、前記ストリーム配信制御手段は、前記イベント通知用ストリームの長さであるイベントストリーム長と、前記視聴用ストリームの内で未だ配信がされていない未配信の視聴用ストリームの長さである未配信ストリーム長とを比較し、前記イベントストリーム長さが前記未配信ストリーム長より長い場合は、前記未配信ストリーム長に対応する期間、前記イベント通知用ストリームを配信することを特徴とする。
【００３２】
したがって、本発明に係る配信装置は、イベント通知用ストリームの長さ（イベントストリーム長）が未配信の視聴用ストリームの長さ（未配信ストリーム長）より長い場合、未配信ストリーム長に対応する期間、イベント通知用ストリームに加工を施して配信することが可能となる。
【００３３】
また、本発明に係る配信装置では、前記イベント通知用ストリームは、ネットワークを介して配信装置に提供されたイベントとしての非常情報に対応して形成されたものであることを特徴とする。
【００３４】
したがって、本発明に係る配信装置は、非常情報（例えば、地震情報、気象情報、緊急情報、警報、注意報など）に対応するイベント通知用ストリームを再生端末装置へ配信することから、視聴用ストリームの再生状況に対応させて再生端末装置へのイベント通知を効果的に行うことができる。
【００３５】
また、本発明に係る配信装置では、前記視聴用ストリームは、音声ストリームまたは映像ストリームであることを特徴とする。
【００３６】
したがって、本発明に係る配信装置は、再生端末装置に対して音声、映像を配信することができる。
【００３７】
また、本発明に係る配信装置では、前記再生端末装置から前記視聴用ストリームについての配信の要求があったときに限り、前記イベント通知用ストリームの配信を実行することを特徴とする。
【００３８】
したがって、本発明に係る配信装置は、配信サーバに対する再生端末装置からのコンテンツ配信要求がダウンロード要求では無く視聴用ストリームについての配信要求のときに対応させてイベント通知用ストリームの配信を機能させることから、不要な動作を抑制することができ、ユーザの使用感を向上させることができる。
【００３９】
また、本発明に係るストリーム配信方法は、視聴用ストリームを再生する再生端末装置へ前記視聴用ストリームを配信する配信装置でのストリーム配信方法であって、前記再生端末装置へ配信する前記視聴用ストリームをストリーム収録手段に収録させるステップと、前記再生端末装置に対する前記視聴用ストリームの配信をストリーム配信制御手段に制御させるステップと、前記再生端末装置へ配信中の前記視聴用ストリームの配信フォーマットを配信フォーマット判別手段に判別させるステップと、前記配信フォーマット判別手段によって判別された前記配信フォーマットに適合するイベント通知用ストリームをイベントストリーム取得手段に取得させるステップとを備え、配信中の前記視聴用ストリームのメタ情報および前記イベントストリーム取得手段が取得した前記イベント通知用ストリームのメタ情報に基づいて前記イベント通知用ストリームの配信を前記ストリーム配信制御手段に制御させるステップを備えることを特徴とする。
【００４０】
したがって、本発明に係るストリーム配信方法は、本発明に係る配信装置と同様の作用効果を奏することができる。
【００４１】
また、本発明に係るコンピュータプログラムは、視聴用ストリームを再生する再生端末装置へ前記視聴用ストリームを配信する配信装置での配信をコンピュータに実行させるコンピュータプログラムであって、コンピュータに、前記再生端末装置へ配信する前記視聴用ストリームをストリーム収録手段として収録させるステップと、コンピュータに、前記再生端末装置に対する前記視聴用ストリームの配信をストリーム配信制御手段として制御させるステップと、コンピュータに、前記再生端末装置へ配信中の前記視聴用ストリームの配信フォーマットを配信フォーマット判別手段として判別させるステップと、コンピュータに、前記配信フォーマット判別手段によって判別された前記配信フォーマットに適合するイベント通知用ストリームをイベントストリーム取得手段として取得させるステップとを備え、コンピュータに、配信中の前記視聴用ストリームのメタ情報および前記イベントストリーム取得手段が取得した前記イベント通知用ストリームのメタ情報に基づいて前記イベント通知用ストリームの配信を前記ストリーム配信制御手段として制御させるステップを備えることを特徴とする。
【００４２】
したがって、本発明に係るコンピュータプログラムは、本発明に係る配信装置、本発明に係るストリーム配信方法と同様の作用効果を奏することができる。
【００４３】
また、本発明に係るストリーム配信システムは、配信サーバから配信された視聴用ストリームを再生する再生端末装置と、前記再生端末装置へ前記視聴用ストリームを配信する配信装置とを備えるストリーム配信システムであって、前記配信装置は、本発明に係る配信装置であることを特徴とする。
【００４４】
したがって、本発明に係るストリーム配信システムは、本発明に係る配信装置、本発明に係るストリーム配信方法と同様の作用効果を奏することができる。
【００４５】
また、本発明に係るストリーム配信システムでは、前記配信装置および前記再生端末装置に対して構内通信網を介して通信され、前記イベント通知用ストリームを生成するイベントストリーム生成外部装置を備えることを特徴とする。
【００４６】
したがって、本発明に係るストリーム配信システムは、本発明に係る配信装置、本発明に係るストリーム配信方法と同様の作用効果を奏することができる。
【発明の効果】
【００４７】
本発明に係る配信装置は、配信サーバから配信された視聴用ストリームを再生する再生端末装置へ視聴用ストリームを配信する配信装置であって、再生端末装置へ配信する視聴用ストリームを収録するストリーム収録手段と、再生端末装置に対する視聴用ストリームの配信を制御するストリーム配信制御手段と、再生端末装置へ配信中の視聴用ストリームの配信フォーマットを判別する配信フォーマット判別手段と、配信フォーマット判別手段によって判別された配信フォーマットに適合するイベント通知用ストリームを取得するイベントストリーム取得手段とを備え、ストリーム配信制御手段は、配信中の視聴用ストリームのメタ情報およびイベントストリーム取得手段が取得したイベント通知用ストリームのメタ情報に基づいてイベント通知用ストリームの配信を制御する構成とされている。
【００４８】
したがって、本発明に係る配信装置によれば、配信中の視聴用ストリームの配信フォーマットに適合したイベント通知用ストリームを取得し、メタ情報に基づいてイベント通知用ストリームの配信を制御することから、視聴用ストリームをイベント通知用ストリームに円滑に置き換えて再生端末装置へ配信することが可能となり、新しい機能を追加せずに、再生端末装置での誤作動を防止することができる。
【００４９】
本発明に係るストリーム配信方法は、視聴用ストリームを再生する再生端末装置へ視聴用ストリームを配信する配信装置でのストリーム配信方法であって、再生端末装置へ配信する視聴用ストリームをストリーム収録手段に収録させるステップと、再生端末装置に対する視聴用ストリームの配信をストリーム配信制御手段に制御させるステップと、再生端末装置へ配信中の視聴用ストリームの配信フォーマットを配信フォーマット判別手段に判別させるステップと、配信フォーマット判別手段によって判別された配信フォーマットに適合するイベント通知用ストリームをイベントストリーム取得手段に取得させるステップとを備え、配信中の視聴用ストリームのメタ情報およびイベントストリーム取得手段が取得したイベント通知用ストリームのメタ情報に基づいてイベント通知用ストリームの配信をストリーム配信制御手段に制御させるステップを備える。
【００５０】
したがって、本発明に係るストリーム配信方法によれば、本発明に係る配信装置と同様の作用効果を奏することができる。
【００５１】
本発明に係るコンピュータプログラムは、視聴用ストリームを再生する再生端末装置へ視聴用ストリームを配信する配信装置での配信をコンピュータに実行させるコンピュータプログラムであって、コンピュータに、再生端末装置へ配信する視聴用ストリームをストリーム収録手段として収録させるステップと、コンピュータに、再生端末装置に対する視聴用ストリームの配信をストリーム配信制御手段として制御させるステップと、コンピュータに、再生端末装置へ配信中の視聴用ストリームの配信フォーマットを配信フォーマット判別手段として判別させるステップと、コンピュータに、配信フォーマット判別手段によって判別された配信フォーマットに適合するイベント通知用ストリームをイベントストリーム取得手段として取得させるステップとを備え、コンピュータに、配信中の視聴用ストリームのメタ情報およびイベントストリーム取得手段が取得したイベント通知用ストリームのメタ情報に基づいてイベント通知用ストリームの配信をストリーム配信制御手段として制御させるステップを備える。
【００５２】
したがって、本発明に係るコンピュータプログラムによれば、本発明に係る配信装置、本発明に係るストリーム配信方法と同様の作用効果を奏することができる。
【００５３】
本発明に係るストリーム配信システムは、配信サーバから配信された視聴用ストリームを再生する再生端末装置と、再生端末装置へ視聴用ストリームを配信する配信装置とを備えるストリーム配信システムであって、配信装置は、本発明に係る配信装置である。
【００５４】
したがって、本発明に係るストリーム配信システムによれば、本発明に係る配信装置、本発明に係るストリーム配信方法と同様の作用効果を奏することができる。
【図面の簡単な説明】
【００５５】
【図１】本発明の実施の形態１に係るストリーム配信システムの概略ブロック、配信装置の機能ブロック、再生端末装置の機能ブロックを示すブロック図である。
【図２】本発明の実施の形態２に係るストリーム配信システムの概略ブロック、配信装置の機能ブロック、再生端末装置の機能ブロック、イベントストリーム生成外部装置の機能ブロックを示すブロック図である。
【図３】本発明の実施の形態３に係る配信装置および再生端末装置での処理フローの基本を示すフロー図である。
【図４Ａ】再生端末装置でのコンテンツ一覧の表示状態を示す模式図である。
【図４Ｂ】再生端末装置での視聴用ストリームの表示状態を示す模式図である。
【図４Ｃ】再生端末装置でのイベント通知用ストリームの表示状態を示す模式図である。
【図５】視聴用ストリームのメタ情報およびイベント通知用ストリームのメタ情報の相関関係を示す模式図であり、（Ａ）はストリームの長さを示す基準としての横軸、（Ｂ）は視聴用ストリームの全体の長さ、（Ｃ）は置き換えて配信されるイベント通知用ストリーム、（Ｄ）は未配信ストリーム長の部分を（Ｃ）のイベント通知用ストリームで置き換えられた実施例１、（Ｅ）は置き換えて配信されるイベント通知用ストリーム、（Ｆ）は未配信ストリーム長の部分を（Ｅ）のイベント通知用ストリームで置き換えられた実施例２をそれぞれ示す模式図である。
【図６】視聴用ストリームのメタ情報およびイベント通知用ストリームのメタ情報の相関関係を示す模式図であり、（Ａ）はストリームの長さを示す基準としての横軸、（Ｂ）は視聴用ストリームの全体の長さ、（Ｃ）は置き換えて配信されるイベント通知用ストリーム、（Ｄ）は未送信ストリーム長の部分を（Ｃ）のイベント通知用ストリームで置き換えられた実施例３、（Ｅ）は置き換えて配信されるイベント通知用ストリーム、（Ｆ）は未送信ストリーム長の部分を（Ｅ）のイベント通知用ストリームで置き換えられた実施例４、（Ｇ）は置き換えて配信されるイベント通知用ストリーム、（Ｈ）は未送信ストリーム長の部分を（Ｅ）のイベント通知用ストリームで置き換えられた実施例５をそれぞれ示す模式図である。
【図７Ａ】コンテンツ情報の情報（視聴用ストリームのメタ情報）の例を示す説明図表である。
【図７Ｂ】コンテンツ一覧を示し、少なくとも１つの視聴用ストリームを一覧形式で説明する情報の例を示す説明図表である。
【図７Ｃ】コンテンツ情報の１つであるＵＲＬの具体例を示す説明図表である。
【図７Ｄ】コンテンツ情報から得られたメタ情報の例を示す説明図表である。
【発明を実施するための形態】
【００５６】
以下、本発明の実施の形態について図面を参照して説明する。
【００５７】
＜実施の形態１＞
図１を参照して、本実施の形態に係るストリーム配信システム、配信装置について説明する。
【００５８】
図１は、本発明の実施の形態１に係るストリーム配信システム１の概略ブロック、配信装置１０の機能ブロック、再生端末装置３０の機能ブロックを示すブロック図である。
【００５９】
本実施の形態に係るストリーム配信システム１は、配信サーバ２から配信された視聴用ストリームＳＴｖ（図４Ｂ、図５、図６参照）を再生する再生端末装置３０と、再生端末装置３０へ視聴用ストリームＳＴｖを配信する配信装置１０とを備える。
【００６０】
配信サーバ２は、ネットワークＮＷを介して、種々のコンテンツ（図４Ａ、図４Ｂ参照）を再生端末装置３０へ有償、あるいは無償で提供するサーバである。配信サーバ２は、再生端末装置３０から要求された視聴用ストリームＳＴｖをネットワークＮＷ、配信装置１０を介して再生端末装置３０へ供給する。
【００６１】
なお、配信サーバ２としては、上述した種々のコンテンツを提供する一般的なコンテンツ提供サーバ（コンテンツ配信サーバ）の他、本実施の形態で提示するイベント（イベント情報）をストリーム化したイベント通知用ストリームＳＴｅを提供するイベント通知用ストリーム配信装置なども含まれる。
【００６２】
また、イベント通知用ストリームＳＴｅとは、配信装置１０（イベント検出部１５）が検出したイベント（イベント情報）を再生端末装置３０でユーザが再生して認識できるように構成（生成。ストリーム化）されたストリームである。イベント通知用ストリームＳＴｅは、配信サーバ２の他、イベントストリーム生成内蔵手段２０（本実施の形態での変形例）、イベントストリーム生成外部装置４０（実施の形態２。図２参照）などからも提供（配信／ストリーム配信）される。
【００６３】
本実施の形態に係る配信装置１０は、配信サーバ２から配信された視聴用ストリームＳＴｖを再生する再生端末装置３０へ視聴用ストリームＳＴｖを配信する。配信装置１０は、例えば、ハードディスクレコーダ（ＨＤＤレコーダ）で構成することができ、大量のデータ（コンテンツ）を蓄積、保存し、再生端末装置３０へ配信することができる。データの保存は、一時的保存でもよく、また永続的保存とすることも可能である。
【００６４】
また、再生端末装置３０は、例えば、配信装置１０との通信が可能なテレビジョン受像機を適用することができる。配信装置１０と再生端末装置３０とは、例えば、家庭内では構内通信網ＬＡＮを介して通信される構成とされ、データの送信、受信を相互に実行する。
【００６５】
配信装置１０は、制御部１１を備え、制御部１１は、例えば、中央処理装置（ＣＰＵ：Ｃｅｎｔｒａｌ  Ｐｒｏｃｅｓｓｉｎｇ  Ｕｎｉｔ）で構成され、記憶部１８に予めインストールされたコンピュータプログラムによって配信装置１０を機能させる。
【００６６】
制御部１１は、後で説明するストリーム収録手段１２、ストリーム配信制御手段１３、配信フォーマット判別手段１４、イベントストリーム取得手段１６などの機能実現手段を構成する。これらの機能実現手段は、予め配信装置１０（記憶部１８）にインストールされたコンピュータプログラムによって実現される。
【００６７】
つまり、配信装置１０は、再生端末装置３０へ配信する視聴用ストリームＳＴｖを収録するストリーム収録手段１２と、再生端末装置３０に対する視聴用ストリームＳＴｖの配信を制御するストリーム配信制御手段１３と、再生端末装置３０へ配信中の視聴用ストリームＳＴｖの配信フォーマットを判別する配信フォーマット判別手段１４と、配信フォーマット判別手段１４によって判別された配信フォーマットに適合するイベント通知用ストリームＳＴｅ（図４Ｃ、図５、図６参照）を取得するイベントストリーム取得手段１６とを備える。
【００６８】
ストリーム収録手段１２は、視聴用ストリームＳＴｖを収録する。つまり、コンテンツ記録部として機能する。ストリーム収録手段１２（コンテンツ記録部）は、例えば、ＨＤＤ（Ｈａｒｄ  Ｄｉｓｋ  Ｄｒｉｖｅ）などの磁気ディスク、記憶媒体としてフラッシュメモリを採用したＳＳＤ（Ｓｏｌｉｄ  Ｓｔａｔｅ  Ｄｒｉｖｅ）などを適用することができる。必要に応じて、記憶部１８を適用することも可能である。本実施の形態では、それぞれの機能を明確に示すため、ストリーム収録手段１２、記憶部１８を個別に記載する。
【００６９】
ストリーム配信制御手段１３は、配信中の視聴用ストリームＳＴｖのメタ情報（図５、図６参照）およびイベントストリーム取得手段１６が取得したイベント通知用ストリームＳＴｅのメタ情報（図５、図６参照）に基づいてイベント通知用ストリームＳＴｅの配信を制御する構成とされている。
【００７０】
したがって、本実施の形態に係る配信装置１０は、配信中の視聴用ストリームＳＴｖの配信フォーマットに適合したイベント通知用ストリームＳＴｅを取得し、メタ情報に基づいてイベント通知用ストリームＳＴｅの配信を制御することから、視聴用ストリームＳＴｖをイベント通知用ストリームＳＴｅに円滑に置き換えて再生端末装置３０へ配信することが可能となり、新しい機能を追加せずに、再生端末装置３０での誤作動を防止することができる。
【００７１】
配信装置１０は、イベント（イベント情報）を検出するイベント検出部１５を備える。イベント検出部１５は、例えば、放送波等で緊急警報放送等の緊急情報／警報情報（地震関連情報、気象関連情報、注意報など）が提供されていることを検出するチューナで構成されている。ただし、チューナに限定されるものではない。
【００７２】
イベント検出部１５によってイベント（イベント情報）が検出されると、イベントストリーム取得手段１６は、再生端末装置３０に配信しているフォーマットに適合しているイベント通知用ストリームＳＴｅを取得する。イベント通知用ストリームＳＴｅが、例えば、ストリーム収録手段１２に収録されている場合は、ストリーム収録手段１２から読み出し、配信サーバ２に収録されている場合は、配信サーバ２に配信を要求することで実行される。検出したイベント（イベント情報）に対応するイベント通知用ストリームＳＴｅは、イベントストリーム取得手段１６からの取得が可能であれば良く、どこに収録されているかは問題ではない。
【００７３】
イベント通知用ストリームＳＴｅを取得するイベントストリーム取得手段１６は、取得したイベント通知用ストリームＳＴｅを例えばストリーム収録手段１２に記憶（収録）させる。この場合には、イベント検出部１５がイベントを検出したとき、ストリーム配信制御手段１３は、イベント通知用ストリームＳＴｅの有無をストリーム収録手段１２に問い合わせ、記憶されているイベント通知用ストリームＳＴｅをストリーム収録手段１２から読み出して配信することができる。
【００７４】
つまり、ストリーム配信制御手段１３は、例えばストリーム収録手段１２に収録されたイベント通知用ストリームＳＴｅを読み出す。したがって、配信装置１０は、ストリーム配信制御手段１３がストリーム収録手段１２から読み出したイベント通知用ストリームＳＴｅを再生端末装置３０へ円滑に配信することができる。
【００７５】
なお、イベント通知用ストリームＳＴｅは、配信装置１０の内部のストリーム収録手段１２に収録される場合に限らず、上述したとおり、例えば、イベントストリーム生成外部装置４０（図２参照）などで生成（形成）される形態でも良い。イベントストリーム生成外部装置４０などで生成される場合には、配信装置１０（イベントストリーム取得手段１６）からイベントストリーム生成外部装置４０などに対してイベント通知用ストリームＳＴｅの配信を要求することによってイベントストリーム取得手段１６が取得し、ストリーム配信制御手段１３が再生端末装置３０へ配信する形態とすることも可能である。
【００７６】
また、記憶部１８は、配信装置１０を機能させるために必要なコンピュータプログラム、配信装置１０に関連したデータなどを記憶している。永続的な記憶には、例えばフラッシュメモリなどの不揮発性メモリが適用され、一時的な記憶には、例えばＤＲＡＭ（Ｄｙｎａｎｍｉｃ  Ｒａｎｄｏｍ  Ａｃｃｅｓｓ  Ｍｅｍｏｒｙ）などの半導体メモリが適用される。
【００７７】
通信部１９は、有線あるいは無線での通信を実行する。有線通信の手段としては、例えばイーサネット(登録商標)があり、無線通信の手段としては、例えば８０２．１１ａ／ｂ／ｇ／ｎといった無線ＬＡＮ、Ｂｌｕｅｔｏｏｔｈ（登録商標）、赤外線通信がある。
【００７８】
再生端末装置３０は、制御部３１を備え、制御部３１は、例えば、中央処理装置（ＣＰＵ：Ｃｅｎｔｒａｌ  Ｐｒｏｃｅｓｓｉｎｇ  Ｕｎｉｔ）で構成され、記憶部３４に予めインストールされたコンピュータプログラムによって再生端末装置３０を機能させる。
【００７９】
通信部３２は、通信部１９と同様に構成される。操作入力部３３は、例えばリモコン（リモートコントローラ）に対応する受信機によって構成される。記憶部３４は、記憶部１８と同様に構成され、再生端末装置３０として必要なコンピュータプログラム、データが記憶される。再生部３５は、映像表示部３５ｄおよび音声出力部３５ｓを備える。映像表示部３５ｄは、例えば液晶ディスプレイであり、音声出力部３５ｓは、例えばスピーカである。なお、再生端末装置３０は、映像表示部３５ｄを持たないで音声出力部３５ｓを有する音声再生装置であっても良い。
【００８０】
配信装置１０では、再生端末装置３０から視聴用ストリームＳＴｖについての配信の要求があったときに限り、イベント通知用ストリームＳＴｅの配信を実行する構成とすることができる。
【００８１】
したがって、配信装置１０は、配信サーバ２に対する再生端末装置３０からのコンテンツ配信要求がダウンロード要求では無く視聴用ストリームＳＴｖについての配信要求のときに対応させてイベント通知用ストリームＳＴｅの配信を機能させることから、不要な動作を抑制することができ、ユーザの使用感を向上させることができる。
【００８２】
また、配信装置１０は、必要に応じて（本実施の形態に係る配信装置１０の変形例として）イベントストリーム生成内蔵手段２０をさらに備えることができる。イベントストリーム生成内蔵手段２０は、配信装置１０の内部に配置され、イベント通知用ストリームＳＴｒを生成することができる。
【００８３】
したがって、配信装置１０では、イベント通知用ストリームＳＴｅは、内部に配置されたイベントストリーム生成内蔵手段２０で生成されたものである場合がある。配信装置１０は、イベントストリーム生成内蔵手段２０で生成されたイベント通知用ストリームＳＴｅを再生端末装置３０へ配信することから、例えば、内部で生成された配信装置１０の動作に関するイベント通知用ストリームＳＴｅを円滑に機能させることができる。
【００８４】
具体的には、イベントストリーム生成内部手段２０が生成するイベント通知用ストリームＳＴｅは、配信装置１０の内部動作に関するイベント（イベント情報）をイベントストリーム生成内蔵手段２０によってストリーム化したものである。したがって、配信装置１０は、配信装置１０の内部の動作に関する情報（イベント（イベント情報））に対応して生成されたイベント通知用ストリームＳＴｅを再生端末装置３０へ配信することから、例えば、再生端末装置３０を効果的に機能させることができる。
【００８５】
なお、配信装置１０の内部動作に関するイベント（イベント情報）とは、録画予約開始、機器電源オフ、着呼に基づく着呼連絡（着呼報知）、着信に基づく着信連絡（着信報知）などである。つまり、内部動作に関するイベント情報に対応するイベント通知用ストリームＳＴｅは、例えばイベントストリーム生成内蔵手段２０によって提供される構成とすることができる。
【００８６】
さらに補足すれば、イベントストリーム生成内部手段２０は、配信装置１０に対応させて予め指定（入力）されたメタ情報でイベント通知用ストリームＳＴｅを生成する手段である。このときのメタ情報とは、配信フォーマット、ストリームの長さ（例えば、コンテンツサイズ、時間長など）である。
【００８７】
上述したとおり、本実施の形態に係るストリーム配信システム１は、本実施の形態に係る配信装置１０を備えることから、配信装置１０の作用効果と同様の作用効果を奏することができる。
【００８８】
また、本実施の形態に係るストリーム配信システム１、配信装置１０では、イベント通知用ストリームＳＴｅは、ネットワークＮＷを介して配信装置１０に提供されたイベント（イベント情報）としての非常情報に対応して形成されたものである。したがって、配信装置１０は、非常情報（例えば、地震情報、気象情報、緊急情報、警報、注意報など）に対応するイベント通知用ストリームＳＴｅを再生端末装置３０へ配信することから、再生端末装置３０へのイベント通知を効果的に行うことができる。
【００８９】
＜実施の形態２＞
図２を参照して、本実施の形態に係るストリーム配信システム、配信装置について説明する。本実施の形態に係るストリーム配信システム、配信装置は、実施の形態１に係るストリーム配信システム１、配信装置１０と基本的な構成を共通とするので、符号を援用し、主に異なる事項について説明する。なお、本実施の形態に係るストリーム配信システム１は、配信装置１０、再生端末装置３０に加えてイベントストリーム生成外部装置４０を備えるものである。
【００９０】
図２は、本発明の実施の形態２に係るストリーム配信システム１の概略ブロック、配信装置１０の機能ブロック、再生端末装置３０の機能ブロック、イベントストリーム生成外部装置４０の機能ブロックを示すブロック図である。
【００９１】
本実施の形態に係るストリーム配信システム１は、配信サーバ２から配信された視聴用ストリームＳＴｖ（図４Ｂ、図５、図６参照）を再生する再生端末装置３０と、再生端末装置３０へ視聴用ストリームＳＴｖを配信する配信装置１０とを備え、配信装置１０および再生端末装置３０に対して構内通信網ＬＡＮを介して相互に通信され、イベント通知用ストリームＳＴｅを生成するイベントストリーム生成装置４０を備える。
【００９２】
つまり、本実施の形態に係るストリーム配信システム１では、イベント通知用ストリームＳＴｅは、再生端末装置３０とは別に外部に配置され構内通信網ＬＡＮを介して相互に通信されるイベントストリーム生成外部装置４０で生成（形成）されたものを含むことがある。
【００９３】
したがって、配信装置１０は、構内通信網ＬＡＮを介して通信されるイベントストリーム生成外部装置４０で生成されたイベント通知用ストリームＳＴｅを再生端末装置３０へ配信することから、例えば、家庭内で指定された家庭固有のイベント（イベント情報）をイベントストリーム生成外部装置４０でイベント通知用ストリームＳＴｅに変換して円滑に再生することができる。
【００９４】
イベントストリーム生成外部装置４０は、例えばＰＣ（パーソナルコンピュータ）で構成することができる。イベントストリーム生成外部装置４０はＰＣであることから、制御部４１、通信部４２、操作入力部４３、記憶部４４、表示部４５などを備える。制御部４１は、制御部１１、制御部３１と同様ＣＰＵで構成され、記憶部４４に適宜のコンピュータプログラムをインストールされている。通信部４２は、通信部１９、通信部３２と同様に構成される。操作入力部４３は、例えばキーボード／マウス／ポインタなどであり、表示部４５は、モニターである。記憶部４４は、記憶部１８、記憶部３４と同様に構成される。
【００９５】
イベントストリーム生成外部装置４０でイベント通知用ストリームＳＴｅを生成するときは、配信装置１０から、配信フォーマット、ストリームの長さ（ストリームのサイズ、ストリームの時間長）などメタ情報が指定（入力）される。また、イベントストリーム生成外部装置４０でイベント通知用ストリームＳＴｅを生成するときは、単位パケット長を適用することができる。また、その後の処理においても、単位パケット長を基本として処理させることができる。
【００９６】
なお、イベントストリーム生成外部装置４０が生成するイベント通知用ストリームＳＴｅは、イベントストリーム生成内蔵手段２０が生成するイベント通知用ストリームＳＴｅと同様な内容とすることも可能である。つまり、イベントストリーム生成外部装置４０が生成するイベント通知用ストリームＳＴｅは、配信装置１０の内部動作に関するイベント（イベント情報）をストリーム化したものとすることができる。配信装置１０の内部動作に関する情報には、上述したとおり、録画予約開始、機器電源オフ、着呼に基づく着呼連絡（着呼報知）、着信に基づく着信連絡（着信報知）などを含ませることができる。
【００９７】
したがって、配信装置１０は、配信装置１０の内部動作に関するイベント（イベント情報）をイベントストリーム生成外部装置４０でストリーム化したイベント通知用ストリームＳＴｅを取得し、再生端末装置３０へ配信することから、再生端末装置３０、イベントストリーム生成外部装置４０を効果的に機能させることができる。
【００９８】
配信装置１０にイベントストリーム生成内蔵手段２０が既に構成されているとき、イベントストリーム生成外部装置４０を機能させるか、イベントストリーム生成内蔵手段２０を機能させるかは適宜選択することができる。また、両方を機能させることも可能である。
【００９９】
構内通信網ＬＡＮは、例えば家庭内に構築されたものであり、有線通信、無線通信のいずれであっても良い。
【０１００】
上述したとおり、本実施の形態に係るストリーム配信システム１は、本実施の形態に係る配信装置１０を備えることから、配信装置１０の作用効果と同様の作用効果を奏することができる。また、ストリーム配信システム１は、イベント通知用ストリームＳＴｅを生成するイベントストリーム生成外部装置４０を備えるので、本発明に係る配信装置１０と同様の作用効果を奏することができる。
【０１０１】
また、本実施の形態に係るストリーム配信システム１、配信装置１０では、イベント通知用ストリームＳＴｅは、ネットワークＮＷを介して配信装置１０に提供されたイベント（イベント情報）としての非常情報に対応して形成されたもの（非常情報をストリーム化したもの）である。したがって、配信装置１０は、非常情報（例えば、地震情報、気象情報、緊急情報、警報、注意報など）に対応するイベント通知用ストリームＳＴｅを再生端末装置３０へ配信することから、視聴用ストリームＳＴｖの再生状況に対応させて再生端末装置３０へのイベント通知を効果的に行うことができる。
【０１０２】
＜実施の形態３＞
図３を参照して、本実施の形態に係るストリーム配信システム、配信装置での処理フロー（配信装置でのストリーム配信方法、配信装置での配信をコンピュータに実行させるコンピュータプログラム）について説明する。
【０１０３】
本実施の形態に係るストリーム配信システム、配信装置（ストリーム配信方法、コンピュータプログラム）は、実施の形態１、実施の形態２に係るストリーム配信システム１、配信装置１０をそのまま適用するので、符号を援用する。処理フローとしては、ストリーム配信システム１を構成する配信装置１０、配信装置１０からの配信を受信する再生端末装置３０での処理について説明する。
【０１０４】
図３は、本発明の実施の形態３に係る配信装置１０および再生端末装置３０での処理フローの基本を示すフロー図である。
【０１０５】
配信装置１０での処理フローであるステップＳ１１からステップＳ３１まで、再生端末装置３０での処理フローであるステップＳ５１からステップＳ６５までを参照して、ストリーム配信システム１、配信装置１０、再生端末装置３０での処理フロー、つまり、視聴用ストリームＳＴｖを再生する再生端末装置３０へ視聴用ストリームＳＴｖを配信する配信装置１０でのストリーム配信方法、再生端末装置３０でのストリーム再生方法について説明する。
【０１０６】
ステップＳ１１：
配信装置１０は、配信サーバ２から例えば「コンテンツ一覧」（図４Ａ参照）の配信を受ける。受信した「コンテンツ一覧」は、再生端末装置３０へ配信される（ステップＳ１１→ステップＳ５１）。
【０１０７】
ステップＳ１３：
配信装置１０は、視聴用ストリームＳＴｖに対する配信要求を受信したか否かについて判断（判定）する。受信した場合（ステップＳ１３：ＹＥＳ）は、ステップＳ１５へ移行する。受信していない場合（ステップＳ１３：ＮＯ）は、元へ戻り、次のタイミングでの判断を実行する。
【０１０８】
ステップＳ１５：
配信装置１０は、配信サーバ２から受信した視聴用ストリームＳＴｖを再生端末装置３０へ配信する（ステップＳ１５→ステップＳ５９）。なお、併せて、再生端末装置３０へ配信する視聴用ストリームＳＴｖをストリーム収録手段１２に収録させるステップと、再生端末装置３０に対する視聴用ストリームＳＴｖの配信をストリーム配信制御手段１３に制御させるステップとが実行される。
【０１０９】
また、配信に際し、ストリーム配信制御手段１３は、例えばストリーム収録手段１２に収録された視聴用ストリームＳＴｖを読み出す。
【０１１０】
ステップＳ１７：
配信装置１０は、再生端末装置３０に対する視聴用ストリームＳＴｖの配信が終了したか否かを判断する。配信が終了していない場合（ステップＳ１７：ＮＯ）は、ステップＳ１９へ移行する。配信が終了している場合（ステップＳ１７：ＹＥＳ）は、ステップＳ２１へ移行する。
【０１１１】
ステップＳ１９：
配信装置１０（イベント検出部１５）は、イベント（イベント情報）を検出したか否かを判断する。この判断は、制御部１１および適宜のコンピュータプログラムを適用してイベント検出部１５に実行させることができる。
【０１１２】
イベント（イベント情報）を検出した場合（ステップＳ１９：ＹＥＳ）は、ステップＳ２３へ移行する。また、イベント通知用ストリームＳＴｅを検出しなかった場合（ステップＳ１９：ＮＯ）は、ステップＳ１５へ戻り、視聴用ストリームＳＴｖの配信を継続し、適宜のタイミングでステップＳ１７、ステップＳ１９の判断を実行する。
【０１１３】
ステップＳ２１：
視聴用ストリームＳＴｖの配信が完了していることから、処理フローは終了する。
【０１１４】
ステップＳ２３：
イベント検出部１５でイベント（イベント情報）を検出したことから、配信装置１０（ストリーム配信制御手段１３）は、再生端末装置３０に対する視聴用ストリームＳＴｖの配信を停止する。また、適宜のタイミングで、再生端末装置３０へ配信中の視聴用ストリームＳＴｖの配信フォーマットを配信フォーマット判別手段１４に判別させるステップが実行される。
【０１１５】
ステップＳ２５：
配信装置１０（ストリーム配信制御手段１３）は、メタ情報を取得する。つまり、視聴用ストリームＳＴｖのメタ情報およびイベント（イベント情報）に対応してストリーム化（形成）されたイベント通知用ストリームＳＴｅのメタ情報を取得する。また、ストリーム配信制御手段１３は、以下のステップＳ２７、ステップＳ２９でのイベント通知用ストリームＳＴｅの配信を制御する。
【０１１６】
配信中の視聴用ストリームＳＴｖ（配信の途中で配信を停止した視聴用ストリームＳＴｖ）のメタ情報およびイベント通知用ストリームＳＴｅのメタ情報に基づいてイベント通知用ストリームＳＴｅの配信をストリーム配信制御手段１３に制御させるステップが実行される。
【０１１７】
ストリーム配信制御手段１３は、視聴用ストリームＳＴｖの配信を途中で停止したときの視聴用ストリームＳＴｖのメタ情報を取得する。配信を停止した時点でのメタ情報を取得することから、配信装置１０（ストリーム配信制御手段１３）は、正確に視聴用ストリームＳＴｖのメタ情報を取得することができるので、高精度に視聴用ストリームＳＴｖをイベント通知用ストリームＳＴｅに置き換えることができる。
【０１１８】
つまり、ストリーム配信制御手段１３は、ステップＳ１５で視聴用ストリームＳＴｖの配信を開始したときから、ステップＳ２３で視聴用ストリームＳＴｖの配信を停止するまでの間での視聴用ストリームＳＴｖのメタ情報を演算（検出）する構成とされている。また、視聴用ストリームＳＴｖ全体のメタ情報をストリーム収録手段１２から取得する。
【０１１９】
なお、メタ情報およびメタ情報に基づく配信の制御の具体例については、図５、図６で説明するが、例えばストリームの長さ（具体的には、ストリームのサイズ、ストリームの時間長など）をメタ情報とすることができる。
【０１２０】
ステップＳ２７：
配信装置１０（イベントストリーム取得手段１６）は、イベント通知用ストリームＳＴｅを取得する。つまり、配信フォーマット判別手段１４によって判別された配信フォーマットに適合するイベント通知用ストリームＳＴｅをイベントストリーム取得手段１６に取得させるステップが適宜のタイミングで実行される。なお、併せて、イベント通知用ストリームＳＴｅを例えばストリーム収録手段１２へ収録することも可能である。
【０１２１】
ステップＳ２９：
配信装置１０（ストリーム配信制御手段１３）は、イベントストリーム取得手段１６が取得したイベント通知用ストリームＳＴｅを再生端末装置３０へ配信する。つまり、イベント通知用ストリームＳＴｅの配信をストリーム配信制御手段１３に制御させる。イベント通知用ストリームＳＴｅの配信の形態については、図５、図６でさらに詳細を説明する。
【０１２２】
ステップＳ３１：
配信装置１０（ストリーム配信制御手段１３）は、イベント通知用ストリームＳＴｅの配信を終了したか否かを判断する。配信を終了した場合（ステップＳ３１：ＹＥＳ）は、ステップＳ１５へ戻る。配信を終了していない場合（ステップＳ３１：ＮＯ）は、ステップＳ２７へ戻り、ステップＳ２７、ステップＳ２９、ステップＳ３１の処理を適宜のタイミングで繰り返す。
【０１２３】
ステップＳ５１、ステップＳ５３：
再生端末装置３０は、配信装置１０から配信された「コンテンツ一覧」を取得し、表示する（図４Ａ参照）。
【０１２４】
ステップＳ５５：
再生端末装置３０は、操作入力部３３を介して視聴用ストリームＳＴｖに対する再生要求を受け付けたか否かを判断する。受け付けた場合（ステップＳ５５：ＹＥＳ）は、ステップＳ５７へ移行する。受け付けていない場合（ステップＳ５５：ＮＯ）は、元へ戻り、次のタイミングでの判断を実行する。
【０１２５】
ステップＳ５７：
再生端末装置３０は、通信部３２、通信部１９を介して配信装置１０へ、視聴用ストリームＳＴｖに対する配信要求を送信する（ステップＳ５７→ステップＳ１３）。
【０１２６】
ステップＳ５９：
再生端末装置３０は、視聴用ストリームＳＴｖの配信を受信し、視聴用ストリームＳＴｖを取得（再生）する。
【０１２７】
あるいは、配信装置１０（イベント検出部１５）がイベント（イベント情報）を検出したことによって、視聴用ストリームＳＴｖの配信が停止され視聴用ストリームＳＴｖの再生を途中で停止した場合（ステップＳ２３）、配信装置１０（ストリーム配信制御手段１３）から配信された（ステップＳ２９→ステップＳ５９）イベント通知用ストリームＳＴｅを受信（再生）する。なお、以下のステップＳ６１、ステップＳ６３、ステップＳ６５では、視聴用ストリームＳＴｖ、または、イベント通知用ストリームＳＴｅのいずれか一方に対して処理が施される。
【０１２８】
ステップＳ６１：
再生端末装置３０は、取得（受信）した視聴用ストリームＳＴｖ／イベント通知用ストリームＳＴｅに対してデコードを施す。配信フォーマットに適合した適宜のデコーダが予め準備されている。
【０１２９】
ステップＳ６３：
再生端末装置３０は、視聴用ストリームＳＴｖ／イベント通知用ストリームＳＴｅの再生を実行する（再生の状態については、図４Ｂ、図４Ｃ参照）。
【０１３０】
ステップＳ６５：
再生端末装置３０は、再生長さ（再生対象のストリーム長さ）が満了したか否かを判断する。満了した場合（ステップＳ６５：ＹＥＳ）は、処理を終了する。満了していない場合（ステップＳ６５：ＮＯ）は、ステップＳ６１へ戻り、ステップＳ６１、ステップＳ６３、ステップＳ６５の処理を適宜のタイミングで繰り返す。
【０１３１】
上述したとおり、本実施の形態に係るストリーム配信方法は、視聴用ストリームＳＴｖを再生する再生端末装置３０へ視聴用ストリームＳＴｖを配信する配信装置１０でのストリーム配信方法であって、再生端末装置３０へ配信する視聴用ストリームＳＴｖをストリーム収録手段１２に収録させるステップと、再生端末装置３０に対する視聴用ストリームＳＴｖの配信をストリーム配信制御手段１３に制御させるステップと、再生端末装置３０へ配信中の視聴用ストリームＳＴｖの配信フォーマットを配信フォーマット判別手段１４に判別させるステップと、配信フォーマット判別手段１４によって判別された配信フォーマットに適合するイベント通知用ストリームＳＴｅをイベントストリーム取得手段１６に取得させるステップとを備え、配信中の視聴用ストリームＳＴｖのメタ情報およびイベントストリーム取得手段１６が取得したイベント通知用ストリームＳＴｅのメタ情報に基づいてイベント通知用ストリームＳＴｅの配信をストリーム配信制御手段１３に制御させるステップを備える。
【０１３２】
したがって、本発明に係るストリーム配信方法は、本発明に係る配信装置１０と同様の作用効果を奏することができる。
【０１３３】
実施の形態１、実施の形態２で説明したとおり、配信装置１０、再生端末装置３０、イベントストリーム生成外部装置４０は、いずれも適宜のコンピュータプログラムによって機能している。本実施の形態に係るストリーム配信方法についても予め配信装置１０、再生端末装置３０、イベントストリーム生成外部装置４０にインストールされたコンピュータプログラムを適用して実行することができる。次に、コンピュータプログラムについて説明する。なお、各ステップは、上述したストリーム配信方法とそのまま対応するので、詳細な説明は省略する。
【０１３４】
本実施の形態に係るコンピュータプログラムは、視聴用ストリームＳＴｖを再生する再生端末装置３０へ視聴用ストリームＳＴｖを配信する配信装置１０での配信をコンピュータに実行させるコンピュータプログラムであって、コンピュータに、再生端末装置３０へ配信する視聴用ストリームＳＴｖをストリーム収録手段１２として収録させるステップと、コンピュータに、再生端末装置３０に対する視聴用ストリームＳＴｖの配信をストリーム配信制御手段１３として制御させるステップと、コンピュータに、再生端末装置３０へ配信中の視聴用ストリームＳＴｖの配信フォーマットを配信フォーマット判別手段１４として判別させるステップと、コンピュータに、配信フォーマット判別手段１４によって判別された配信フォーマットに適合するイベント通知用ストリームＳＴｅをイベントストリーム取得手段１６に取得させるステップとを備え、コンピュータに、配信中の視聴用ストリームＳＴｖのメタ情報およびイベントストリーム取得手段１６が取得したイベント通知用ストリームＳＴｅのメタ情報に基づいてイベント通知用ストリームＳＴｅの配信をストリーム配信制御手段１３として制御させるステップを備える。
【０１３５】
したがって、本発明に係るコンピュータプログラムは、本発明に係る配信装置１０、本発明に係るストリーム配信方法と同様の作用効果を奏することができる。
【０１３６】
＜実施の形態４＞
図４Ａないし図４Ｃを参照して、実施の形態１ないし実施の形態３に係るストリーム配信システム１、配信装置１０に適合された再生端末装置での視聴用ストリームおよびイベント通知用ストリームの表示態様を実施の形態４として説明する。
【０１３７】
図４Ａは、再生端末装置３０でのコンテンツ一覧の表示状態を示す模式図である。
【０１３８】
再生端末装置３０は、配信装置１０から配信された「コンテンツ一覧」を映像表示部３５ｄにおいて表示することが可能である。
【０１３９】
「コンテンツ一覧」は、ＸＭＬ（ｅＸｔｅｎｓｉｂｌｅ  Ｍａｒｋｕｐ  Ｌａｎｇｕａｇｅ）、ＨＴＭＬ（Ｈｙｐｅｒ  Ｔｅｘｔ  Ｍａｒｋｕｐ  Ｌａｎｇｕａｇｅ）等で記述され、配信サーバ２から配信装置１０へ供給され、配信装置１０から再生端末装置３０へ提供される。つまり、再生端末装置３０は、配信装置１０から「コンテンツ一覧」を取得する。
【０１４０】
「コンテンツ一覧」画面（図４Ａ）は、再生端末装置３０を起動させた直後、または、再生端末装置３０の操作入力部３３を介して「メニューキー」を押下したときに表示される構成とされ、再生端末装置３０に予めインストールされた表示形態とすることができる。
【０１４１】
映像表示部３５ｄには、コンテンツとして、「スポーツ２０１０」「ニュース１０」「ドラマ・・」などが表示され、例えば、「ニュース１０」が選択された状態を示す。メニュー（コンテンツ）が選択されると、選択されたコンテンツに対する視聴用ストリームＳＴｖの配信が開始される（図４Ｂ）。
【０１４２】
図４Ｂは、再生端末装置３０での視聴用ストリームＳＴｖの表示状態を示す模式図である。
【０１４３】
再生端末装置３０の操作入力部３３によって選択された視聴用ストリームＳＴｖの配信が開始され映像表示部３５ｄに表示される。また、音声出力部３５ｓから対応する音声が出力される。
【０１４４】
つまり、視聴用ストリームＳＴｖは、音声ストリームまたは映像ストリームである。したがって、配信装置１０は、再生端末装置３０に対して音声、映像を配信することができる。
【０１４５】
以降、選択された視聴用ストリームＳＴｖに対応するコンテンツが再生される。
【０１４６】
図４Ｃは、再生端末装置３０でのイベント通知用ストリームＳＴｅの表示状態を示す模式図である。
【０１４７】
視聴用ストリームＳＴｖの再生中にイベント検出部１５によってイベント（イベント情報）が検出されると視聴用ストリームＳＴｖの配信が途中で停止される。併せて、イベントストリーム取得手段１６がイベント通知用ストリームＳＴｅを取得し、ストリーム配信制御手段１３が取得されたイベント通知用ストリームＳＴｅを再生端末装置３０へ配信する。
【０１４８】
したがって、再生端末装置３０（映像表示部３５ｄ、音声出力部３５ｓ）で再生されていた視聴用ストリームＳＴｖは、イベント通知用ストリームＳＴｅ（例えば、「警報が発令されました／ご注意ください」）に置き換えられる。つまり、再生端末装置３０は、配信装置１０からイベント通知用ストリームＳＴｅの配信を受信し、視聴用ストリームＳＴｖの代わりにイベント通知用ストリームＳＴｅを再生する。
【０１４９】
＜実施の形態５＞
図５、図６を参照して、実施の形態１ないし実施の形態４に係るストリーム配信システム１、配信装置１０、配信装置１０でのストリーム配信方法、およびコンピュータプログラムにおけるメタ情報に基づく配信の制御内容（制御方法、制御プログラム）を実施の形態５として説明する。
【０１５０】
つまり、ストリーム配信制御手段１３が、配信中の視聴用ストリームＳＴｖのメタ情報および取得したイベント通知用ストリームＳＴｅのメタ情報に基づいてイベント通知用ストリームＳＴｅの配信を制御する構成とされていることを具体的に説明する。
【０１５１】
メタ情報は、一般的には情報の情報と定義されている。本願では、ストリーム（視聴用コンテンツに対する視聴用ストリームＳＴｖ、イベントに対するコンテンツとしてのイベント通知用ストリームＳＴｅ）の長さとして把握している。つまり、視聴用ストリームＳＴｖのメタ情報およびイベント通知用ストリームＳＴｅのメタ情報は、ストリームの長さである。したがって、配信装置１０（ストリーム配信システム１）は、視聴用ストリームＳＴｖの長さとイベント通知用ストリームＳＴｅの長さを比較してストリームの配信を適切に制御することができる。
【０１５２】
なお、ストリームの長さは、具体的には、ストリーム（視聴用ストリームＳＴｖ、イベント通知用ストリームＳＴｅ）の時間長、あるいはサイズとして把握することも可能である。
【０１５３】
イベント通知用ストリームＳＴｅの長さが視聴用ストリームＳＴｖの配信されていない部分（残り）の長さより短い場合を図５で、イベント通知用ストリームＳＴｅの長さが視聴用ストリームＳＴｖの配信されていない部分（残り）の長さより長い場合を図６で説明する。
【０１５４】
図５は、視聴用ストリームＳＴｖのメタ情報およびイベント通知用ストリームＳＴｅのメタ情報の相関関係を示す模式図であり、（Ａ）はストリームの長さを示す基準としての横軸、（Ｂ）は視聴用ストリームＳＴｖの全体の長さＴｓ、（Ｃ）は置き換えて配信されるイベント通知用ストリームＳＴｅ、（Ｄ）は未配信ストリーム長Ｔｓｒの部分を（Ｃ）のイベント通知用ストリームＳＴｅで置き換えられた実施例１、（Ｅ）は置き換えて配信されるイベント通知用ストリームＳＴｅ、（Ｆ）は未配信ストリーム長Ｔｓｒの部分を（Ｅ）のイベント通知用ストリームＳＴｅで置き換えられた実施例２をそれぞれ示す模式図である。
【０１５５】
なお、図５（Ｃ）（Ｄ）が実施例１に対応し、図５（Ｅ）（Ｆ）が実施例２に対応する。上述したとおり、実施例１、実施例２は、イベント通知用ストリームＳＴｅのストリームの長さ（イベントストリーム長Ｔｅ）が、視聴用ストリームＳＴｖの内で未だ配信がされていない視聴用ストリームＳＴｖの長さである未配信ストリーム長Ｔｓｒより短いときの一態様である。
【０１５６】
視聴用ストリームＳＴｖの全体の長さＴｓは、開始時Ｔｓｓ、終了時Ｔｓｅで規定される（図５（Ａ）（Ｂ））。
【０１５７】
イベント（イベント情報）が検出されると、視聴用ストリームＳＴｖの配信が停止される（図３のステップＳ１９、ステップＳ２３参照）。視聴用ストリームＳＴｖの配信が途中で停止された場合、メタ情報が取得される（図３のステップＳ２５参照）。
【０１５８】
つまり、視聴用ストリームＳＴｖのメタ情報として、ストリーム全体の長さＴｓ、配信済み部分のストリームの長さＴｓ１、イベント通知用ストリームＳＴｅのイベントストリーム長Ｔｅが取得（認識）される。また、視聴用ストリームＳＴｖの内で未だ配信がされていない未配信の視聴用ストリームＳＴｖの長さである未配信ストリーム長Ｔｓｒが取得（認識）される（図５（Ｃ）（Ｄ）、図５（Ｅ）（Ｆ））。
【０１５９】
配信済み部分のストリームの長さＴｓ１は、図３のステップＳ１５からステップＳ２３までの間の例えば時間をカウントさせておくことで取得することができる。ストリームの長さＴｓ１の取得は、例えばストリーム配信制御手段１３によって実行することができる。ストリーム全体の長さＴｓは、視聴用ストリームＳＴｖのメタ情報から得られる。イベント通知用ストリームＳＴｅのイベントストリーム長Ｔｅは、イベント通知用ストリームＳＴｅのメタ情報から得られる。また、未配信ストリーム長Ｔｓｒは、ストリーム全体の長さＴｓと配信済み部分のストリームの長さＴｓ１との差で求められる。これらの演算は、制御部１１（ストリーム配信制御手段１３）で実行させることができる。
【０１６０】
イベント通知用ストリームＳＴｅのイベントストリーム長Ｔｅが未配信ストリーム長Ｔｓｒより短いことから、視聴用ストリームＳＴｖを停止した後、イベント通知用ストリームＳＴｅを１回（図５（Ｄ）。実施例１）、あるいは複数回（図５（Ｆ）。実施例２）配信する（置き換える）ことが可能となる。イベント通知用ストリームＳＴｅの配信が終了したとき、視聴用ストリームＳＴｖの残り部分の長さＴｓ２に対応させて残りの視聴用ストリームＳＴｖを配信（配信を再開）すること（図５（Ｄ））、あるいは、イベント通知用ストリームＳＴｅを複数回繰り返して配信すること（図５（Ｆ））など、配信を適宜に制御することができる。
【０１６１】
つまり、視聴用ストリームＳＴｖの未配信ストリーム長Ｔｓｒに対応する期間、イベント通知用ストリームＳＴｅを繰り返して配信することができ、あるいは、イベント通知用ストリームＳＴｅを例えば１回配信した後、未配信の視聴用ストリームＳＴｖの残り部分をストリームの長さＴｓ２に対応させて継続して配信することができる。
【０１６２】
上述したとおり、本実施の形態に係る配信装置１０では、ストリーム配信制御手段１３は、イベント通知用ストリームＳＴｅの長さであるイベントストリーム長Ｔｅと、視聴用ストリームＳＴｖの内で未だ配信がされていない未配信の視聴用ストリームＳＴｖの長さである未配信ストリーム長Ｔｓｒとを比較し、イベントストリーム長Ｔｅが未配信ストリーム長Ｔｓｒより短い場合は、イベント通知用ストリームＳＴｅを配信する。
【０１６３】
したがって、配信装置１０は、イベント通知用ストリームＳＴｅの長さ（イベントストリーム長Ｔｅ）が未配信の視聴用ストリームＳＴｖの長さ（未配信ストリーム長Ｔｓｒ）より短い場合、未配信ストリーム長Ｔｓｒに対応する期間、イベント通知用ストリームＳＴｅを配信することが可能となる。
【０１６４】
図６は、視聴用ストリームＳＴｖのメタ情報およびイベント通知用ストリームＳＴｅのメタ情報の相関関係を示す模式図であり、（Ａ）はストリームの長さを示す基準としての横軸、（Ｂ）は視聴用ストリームＳＴｖの全体の長さＴｓ、（Ｃ）は置き換えて配信されるイベント通知用ストリームＳＴｅ、（Ｄ）は未送信ストリーム長Ｔｓｒの部分を（Ｃ）のイベント通知用ストリームＳＴｅで置き換えられた実施例３、（Ｅ）は置き換えて配信されるイベント通知用ストリームＳＴｅ、（Ｆ）は未送信ストリーム長Ｔｓｒの部分を（Ｅ）のイベント通知用ストリームＳＴｅで置き換えられた実施例４、（Ｇ）は置き換えて配信されるイベント通知用ストリームＳＴｅ、（Ｈ）は未送信ストリーム長Ｔｓｒの部分を（Ｅ）のイベント通知用ストリームＳＴｅで置き換えられた実施例５をそれぞれ示す模式図である。
【０１６５】
なお、図６（Ｃ）（Ｄ）が実施例３に対応し、図６（Ｅ）（Ｆ）が実施例４に対応し、図６（Ｇ）（Ｈ）が実施例５に対応する。上述したとおり、実施例３、実施例４、実施例５は、イベント通知用ストリームＳＴｅのストリームの長さ（イベントストリーム長Ｔｅ）が、視聴用ストリームＳＴｖの内で未だ配信がされていない視聴用ストリームＳＴｖの長さである未送信ストリーム長Ｔｓｒより長いときの一態様である。
【０１６６】
基本的な構成、制御方法は、図５の場合と同様であるので適宜説明を簡略化する。
【０１６７】
実施例３は、イベント通知用ストリームＳＴｅのイベントストリーム長Ｔｅの一部Ｔｅ１（開始時から未送信ストリーム長Ｔｓｒに相当する部分までの長さ。置き換え長さＴｅ１）を切り出し、視聴用ストリームＳＴｖの未送信ストリーム長Ｔｓｒの部分をイベント通知用ストリームＳＴｅで置き換えるものである。
【０１６８】
実施例４は、イベント通知用ストリームＳＴｅのイベントストリーム長Ｔｅの一部Ｔｅ２（途中から未送信ストリーム長Ｔｓｒに相当する部分までの長さ。置き換え長さＴｅ２）を切り出し、視聴用ストリームＳＴｖの未送信ストリーム長Ｔｓｒの部分をイベント通知用ストリームＳＴｅで置き換えるものである。
【０１６９】
実施例５は、イベント通知用ストリームＳＴｅの全体のイベントストリーム長Ｔｅを圧縮し、視聴用ストリームＳＴｖの未送信ストリーム長Ｔｓｒの部分をイベント通知用ストリームＳＴｅで置き換えるものである。
【０１７０】
上述したとおり、イベント通知用ストリームＳＴｅの一部を切り出すときの切り出し態様は任意に設定することが可能であり、開始時から途中まで、途中から途中までの任意の期間、途中から終了時までなどとすることが可能である。また、イベント通知用ストリームＳＴｅの全体を圧縮することも可能である。例えば、イベント通知用ストリームＳＴｅの内容に応じて予め適宜の設定をしておくことも可能である。
【０１７１】
つまり、本実施の形態に係る配信装置１０では、ストリーム配信制御手段１３は、イベント通知用ストリームＳＴｅの長さであるイベントストリーム長Ｔｅと、視聴用ストリームＳＴｖの内で未だ配信がされていない未配信の視聴用ストリームＳＴｖの長さである未配信ストリーム長Ｔｓｒとを比較し、イベントストリーム長Ｔｅが未配信ストリーム長Ｔｓｒより長い場合は、未配信ストリーム長Ｔｓｒに対応する期間、イベント通知用ストリームＳＴｅを配信する。
【０１７２】
したがって、本発明に係る配信装置１０は、イベント通知用ストリームＳＴｅの長さ（イベントストリーム長Ｔｅ）が未配信の視聴用ストリームＳＴｖの長さ（未配信ストリーム長）より長い場合、未配信ストリーム長に対応する期間、イベント通知用ストリームＳＴｅに適宜の処理を施して配信することが可能となる。
【０１７３】
＜実施の形態６＞
図７Ａないし図７Ｄを参照して、実施の形態１ないし実施の形態５で配信の対象とされる視聴用ストリームＳＴｖのメタ情報について、実施の形態６として説明する。
【０１７４】
図７Ａは、コンテンツ情報の情報（視聴用ストリームＳＴｖのメタ情報）の例を示す説明図表である。
【０１７５】
コンテンツ情報（視聴用ストリームＳＴｖ）を説明した情報（メタ情報）をデータの種別を示す「ラベル」（項目）と具体的な「データ」とを対照させて示している。「ラベル」に対応させて「データ」が示される。コンテンツ情報は、配信装置１０で保持するコンテンツの内容を説明した情報（メタ情報）である。
【０１７６】
具体的な例として、「コンテンツＩＤ」のデータは、例えば「ｖｉｄｅｏ＿１４１１＿３９８７０１」であり、「タイトル」のデータは、例えば「ニュース１０」であり、「コンテンツ時間長」のデータは、例えば「００：５４：００：０００」（５４分００秒）であり、「コンテンツサイズ」のデータは、例えば「９，７２０，０００，０００」であり、「ＵＲＬ」（Ｕｎｉｆｏｒｍ  Ｒｅｓｏｕｒｃｅ  Ｌｏｃａｔｏｒ：インターネット上でアクセスするための情報）のデータは、例えば「ｈｔｔｐ：／／ｖｉｄｅｏ＿１４１１＿３９８７０１．ｍｐｇ」である。
【０１７７】
なお、「コンテンツＩＤ」は、配信装置１０がコンテンツに付与する配信装置１０の中での固有のＩＤである。「タイトル」は、コンテンツのタイトルをあらわす。例えば、録画番組であれば番組名である。「コンテンツ時間長」は、コンテンツの再生時間長を表す。「コンテンツサイズ」は、コンテンツのバイト長を表す。「ＵＲＬ」は、コンテンツの位置情報を表す。
【０１７８】
コンテンツ時間長、あるいはコンテンツサイズをストリームの長さに対応させることが可能である。
【０１７９】
なお、全てのラベルに対応させて情報を特定する必要はない。ラベルの種類は、必要に応じて適宜設定することができる。
【０１８０】
図７Ｂは、コンテンツ一覧を示し、少なくとも１つの視聴用ストリームＳＴｖを一覧形式で説明する情報の例を示す説明図表である。
【０１８１】
「コンテンツ一覧」は、少なくとも１つの視聴用ストリームＳＴｖを一覧形式で示す。「ラベル」を「情報１」から「情報５」までとし、各情報に対応する「データ」を対照させて表示している。
【０１８２】
例えば、情報１のデータは「コンテンツ情報１」であり、情報２のデータは「コンテンツ情報２」であり、情報３のデータは「コンテンツ情報３」であり、情報４のデータは「コンテンツ情報４」であり、情報５のデータは「コンテンツ情報５」である。
【０１８３】
「コンテンツ一覧」は、図３で説明したとおり、配信装置１０から再生端末装置３０へ配信される。
【０１８４】
図７Ｃは、コンテンツ情報の１つであるＵＲＬの具体例を示す説明図表である。
【０１８５】
例えば、コンテンツ情報のラベル「ＵＲＬ」として、上述したとおり、「ｈｔｔｐ：／／ｖｉｄｅｏ＿１４１１＿３９８７０１．ｍｐｇ」を特定（指定）することができる。
【０１８６】
図７Ｄは、コンテンツ情報から得られたメタ情報の例を示す説明図表である。
【０１８７】
視聴用ストリームＳＴｖの配信が途中で停止された場合に取得されるメタ情報（図３のステップＳ２５参照）の例を示す。
【０１８８】
つまり、視聴用ストリームＳＴｖのメタ情報として、ストリーム全体の長さＴｓ、配信済み部分のストリームの長さＴｓ１、イベント通知用ストリームＳＴｅのイベントストリーム長Ｔｅが取得される（図５参照）。また、視聴用ストリームＳＴｖの内で未だ配信がされていない未配信の視聴用ストリームＳＴｖの長さである未配信ストリーム長Ｔｓｒが取得される。
【０１８９】
「配信済みコンテンツサイズ」は、例えば「６，７２０，０００，０００」（バイト長）であり、図５、図６で示した視聴用ストリームＳＴｖの配信済み部分に対応するストリームの長さＴｓ１に相当する。「コンテンツサイズ」は、例えば「８，７２０，０００，０００」（バイト長）であり、図５、図６で示した視聴用ストリームＳＴｖのストリーム全体の長さＴｓに相当する。また、「未配信コンテンツサイズ」は、例えば「２，０００，０００，０００」（バイト長）であり、図５、図６で示した未配信ストリーム長Ｔｓｒに相当する。
【０１９０】
なお、図５、図６で説明したとおり、「未配信コンテンツサイズ」は、「コンテンツサイズ」から「配信済みコンテンツサイズ」を引いた値となっている。
【符号の説明】
【０１９１】
１  ストリーム配信システム
２  配信サーバ
１０  配信装置
１１  制御部
１２  ストリーム収録手段
１３  ストリーム配信制御手段
１４  配信フォーマット判別手段
１５  イベント検出部
１６  イベントストリーム取得手段
１８  記憶部
１９  通信部
２０  イベントストリーム生成内蔵手段
３０  再生端末装置
３１  制御部
３２  通信部
３３  操作入力部
３４  記憶部
３５  再生部
３５ｄ  映像表示部
３５ｓ  音声出力部
４０  イベントストリーム生成外部装置
４１  制御部
４２  通信部
４３  操作入力部
４４  記憶部
４５  表示部
ＬＡＮ  構内通信網
ＮＷ  ネットワーク
ＳＴｅ  イベント通知用ストリーム
ＳＴｖ  視聴用ストリーム
Ｔｅ  イベントストリーム長
Ｔｅ１、Ｔｅ２  置き換え長さ
Ｔｓ  視聴用ストリームの全体の長さ
Ｔｓ１  配信済み部分のストリームの長さ
Ｔｓｒ  未送信ストリーム長
【図１】
2012019470.tif 000003
【図２】
2012019470.tif 000004
【図３】
2012019470.tif 000005
【図４Ａ】
2012019470.tif 000006
【図４Ｂ】
2012019470.tif 000007
【図４Ｃ】
2012019470.tif 000008
【図５】
2012019470.tif 000009
【図６】
2012019470.tif 000010
【図７Ａ】
2012019470.tif 000011
【図７Ｂ】
2012019470.tif 000012
【図７Ｃ】
2012019470.tif 000013
【図７Ｄ】
2012019470.tif 000014